【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
発電マグネットがコイル内を移動して発電する振動発電装置において、前記発電マグネットを内部に有する内パイプの外側に前記コイルを配置して、前記発電マグネットに引っ張りバネを接続し、
一方で、前記発電マグネットに吸引力を与える磁性体を前記内パイプの端部へ固定して前記発電マグネットを吸引させ、
前記引っ張りバネを引っ張って移動させ、前記発電マグネットと前記磁性体の吸引力より、前記引っ張りバネの収縮力が上回った時に、前記発電マグネットが前記コイル内を移動して誘導電流を発生させ、発電する事を特徴とした振動発電装置。
【請求項２】
請求項１記載の振動発電装置において、前記磁性体に非磁性体の調整ネジを取り付け、前記調整ネジを移動させ、前記発電マグネットと前記磁性体の吸引力を調整することを特徴とした振動発電装置。
【請求項３】
請求項１〜２のいずれか１項記載の振動発電装置において、前記発電マグネットに接続された引っ張りバネの他方の端部に接続部材を接続してからワイヤーを接続し、
一方で、前記磁性体が固定された内パイプの他方に穴の開いた上カバーを設置し、前記穴より前記ワイヤーを取り出し、前記上カバーと前記接続部材の間に圧縮バネを挿入して、
前記ワイヤーが緩んだときに前記圧縮バネの伸縮力により、前記接続部材を移動して前記発電マグネットを移動するようにしたことを特徴とした振動発電装置。
【請求項４】
発電マグネットがコイル内を移動して発電する振動発電装置において、前記発電マグネットを内部に有する内パイプの外側に前記コイルを配置して、前記発電マグネットに接続された引っ張りバネの他方の端部を前記内パイプの端部に取り付け、
一方で前記発電マグネットに吸引力を与える磁性体を前記発電マグネットに吸引させ、前記磁性体を引っ張って前記発電マグネットを移動させ、前記発電マグネットと前記磁性体の吸引力より、前記引っ張りバネの収縮力が上回った時に、前記発電マグネットが前記コイル内を移動して誘導電流を発生させ、発電する事を特徴とした振動発電装置。
【請求項５】
請求項４記載の振動発電装置において、前記磁性体に非磁性体の調整ネジを取り付け、前記調整ネジを移動させ、前記発電マグネットと前記磁性体の吸引力を調整することを特徴とした振動発電装置。
【請求項６】
請求項４〜５のいずれか１項記載の振動発電装置において、前記磁性体の端部にワイヤーを接続して、前記ワイヤーを上カバーの穴に通し、前記上カバーと前記磁性体の間に圧縮バネを挿入し、
前記ワイヤーが緩んだときに前記圧縮バネの伸縮力により、前記磁性体を移動させるようにしたことを特徴とした振動発電装置。
【請求項７】
発電マグネットがコイル内を移動して発電する振動発電装置において、前記発電マグネットを内部に有する内パイプの端部に前記発電マグネットに反発力を与える極性の移動マグネットを取り付けて前記発電マグネットを宙に浮かせ、前記移動マグネットが取り付けられた内パイプの他方の端部に引っ張りバネを接続し、
一方で、前記内パイプの外側に前記コイルを配置して、更に、前記移動マグネットに吸引力を与える磁性体を、前記移動マグネットに近づけ、吸引させて磁性体を固定し、
前記引っ張りバネを引っ張って移動させ、前記移動マグネットと前記磁性体の吸引力より、前記引っ張りバネの収縮力が上回った時に、前記内パイプ内の前記発電マグネットが前記コイル内を移動して誘導電流を発生させ、発電する事を特徴とした振動発電装置。
【請求項８】
請求項７記載の振動発電装置において、前記磁性体に非磁性体の調整ネジを取り付け、前記調整ネジを移動させ、前記移動マグネットと前記磁性体の吸引力を調整することを特徴とした振動発電装置。
【請求項９】
請求項７〜８のいずれか１項記載の振動発電装置において、前記内パイプに接続された引っ張りバネの他方の端部に接続部材を接続してからワイヤーを接続し、
一方で前記内パイプの外側に穴の開いた上カバーを設置し、前記穴より前記ワイヤーを取り出し、前記上カバーと前記接続部材の間に圧縮バネを挿入して、
前記ワイヤーが緩んだときに前記圧縮バネの伸縮力により、前記接続部材を移動させて前記内パイプを移動させるようにしたことを特徴とした振動発電装置。
【請求項１０】
発電マグネットがコイル内を移動して発電する振動発電装置において、前記発電マグネットを内部に有する内パイプの端部に前記発電マグネットに反発力を与える極性の移動マグネットを取り付けて前記発電マグネットを宙に浮かせ、前記移動マグネットが取り付けられた内パイプの他方の端部に吸引マグネットを配置し、
一方で、前記内パイプの外周に外パイプを配置して、前記外パイプの外周に前記コイルを取り付け、前記外パイプの端部に前記吸引マグネットに吸引力を与える磁性体と引張りバネを設け、前記引っ張りバネの他方の端部を固定し、前記吸引マグネットと前記磁性体を近づけて吸引させておき、
前記内パイプを移動させて、前記吸引マグネットに吸引される前記磁性体を有する外パイプを移動させて前記引張りバネを引っ張り、前記吸引マグネットと前記磁性体の吸引力より、前記引っ張りバネの収縮力が上回った時に、前記外パイプの外周にある前記コイルが前記発電マグネットの外周を移動して誘導電流を発生させ、発電する事を特徴とした振動発電装置。
【請求項１１】
請求項１〜１０のいずれか１項記載の振動発電装置において、前記引張りバネを伸縮するゴムにしたことを特徴とした振動発電装置。
【請求項１２】
発電マグネットがコイル内を移動して発電する振動発電装置において、前記発電マグネットを内部に有する内パイプの端部に、前記発電マグネットに反発力を与える極性の移動マグネットを取り付けて前記発電マグネットを宙に浮かせ、前記移動マグネットが取り付けられた内パイプの他方の端部に吸引マグネットを取り付け、
一方で、前記内パイプの外周に外パイプを配置して、前記外パイプの外周に前記コイルを取り付け、前記外パイプの端部に前記吸引マグネットに吸引力を与える磁性体を設け、
更に、前記磁性体が取り付けられた外パイプの他方の端部に底部圧縮バネを取り付け、前記バネの他方の端部を固定し、前記吸引マグネットと前記磁性体を近づけて吸引させておき、
前記内パイプを移動させて、前記吸引マグネットに吸引される前記磁性体が取り付けられた前記外パイプを移動させ、更に、前記バネを収縮させ、
前記吸引マグネットと前記磁性体の吸引力より、前記バネの反発力が上回った時に、前記外パイプを移動させて前記コイルが前記発電マグネットの外周を移動し、誘導電流を発生させ、発電する事を特徴とした振動発電装置。
【請求項１３】
発電マグネットがコイル内を移動して発電する振動発電装置において、前記発電マグネットを内部に有する内パイプの端部に、底部圧縮バネと前記発電マグネットに反発力を与える極性の吸引マグネットを取り付けて前記発電マグネットを宙に浮かせ、
一方で、前記内パイプの外周に外パイプを配置して、前記外パイプの外周に前記コイルを取り付け、前記外パイプの端部に前記吸引マグネットに吸引力を与える磁性体を設け、前記内パイプに取り付けられたバネの他方の端部を固定し、前記吸引マグネットと前記磁性体を近づけて吸引させておき、
前記外パイプを移動させて、前記磁性体に吸引される前記吸引マグネットが取り付けられた前記内パイプを移動させ、更に、前記バネを収縮させ、
前記吸引マグネットと前記磁性体の吸引力より、前記バネの反発力が上回った時に、前記内パイプを移動させて前記発電マグネットが前記コイル内を移動し、誘導電流を発生させ、発電する事を特徴とした振動発電装置。
【請求項１４】
発電マグネットがコイル内を移動して発電する振動発電装置において、前記発電マグネットを内部に有する内パイプの端部に、前記発電マグネットに反発力を与える極性の吸引マグネットを取り付けて前記発電マグネットを宙に浮かせ、前記内パイプの外周に前記コイルを取り付け、
一方で、前記発電マグネットに吸引力を与え、移動する吸引マグネットを近づけて、前記発電マグネットを吸引し、前記移動する吸引マグネットを移動し、前記内パイプ内の発電マグネットを移動させて前記コイル内を移動させ、更に、前記移動する吸引マグネットが移動して、前記移動する吸引マグネットと前記発電マグネットの吸引力が弱まり、
前記発電マグネットと前記吸引マグネットの反発力が上回った時に、前記発電マグネットが前記コイル内を移動し、誘導電流を発生させ、発電する事を特徴とした振動発電装置。
【請求項１５】
請求項１〜１４のいずれか１項記載の振動発電装置において、移動可能なマグネット又は磁性体を前記振動発電装置に取り付け、前記移動可能なマグネット又は磁性体を前記発電マグネットに近づけて吸引させ、前記発電マグネットの移動を停止させ、発電を停止することを特徴とした振動発電装置。
【請求項１６】
請求項１〜１５のいずれか１項記載の振動発電装置において、前記コイルに発生した発電電力で点灯する発光装置を備えたことを特徴とした物体位置表示器。

【手続補正２】
【補正対象書類名】明細書
【補正対象項目名】全文
【補正方法】変更
【補正の内容】
【発明の詳細な説明】
【発明の名称】振動発電装置及びそれを備えた物体位置表示器
【技術分野】
【０００１】
本発明は、コイルに誘導電流を発生させるマグネットをパイプに入れ、そのパイプの外側にコイルを取り付け、パイプ内のマグネットを移動してコイルに電気を発生させる振動発電装置とそれを備えた物体位置表示器に関するものである。
【背景技術】
【０００２】
夜間、自転車の後方に対して自転車の存在を知らせて安全を保つ為に、ＬＥＤ（発光ダイオード）を点灯、点滅させる物や人の衣服に照明装置を取り付けて点灯、点滅させる物がある。
【０００３】
自転車のＬＥＤの点滅を電池駆動で行う物は、電池の交換が必要なだけではなく、ＬＥＤを点滅させる為の制御回路が必要になり、又、衣服や建築物等に取り付ける物は電池や家庭用電源を利用し、その消耗により交換しなければならないし、配線をしなければならない。
【０００４】
又、振動発電装置を人の衣服に取り付けてその電力を充電し、その電力により常時装置の駆動を維持する為に用いられる物などがあり、これらのものは、振動方向が定められ、又、コイル内部のマグネットの連続した速い移動が求められ、よってその振動発電装置を取り付ける物体の振動方向と素早い連続振動が求められる。
（特許文献３参照）。
【０００５】
ＬＥＤを内蔵した尾灯で、自転車に取り付けた発電機により点滅させることによって、駆動用電池を不要にした物が提案されている。
【０００６】
１つは前照灯用の発電機を利用して前照灯と尾灯の両方を駆動する物である。
前照灯用の発電機を利用するものでは、発電機から尾灯に電力を直接供給して走行中にのみ点滅させる物である。前照灯用の発電機を利用する物の他の形態は、自転車が停止している時も尾灯が点灯するようにしたものである（特許文献１参照）。その中では、前照灯と尾灯を分離し、発電機からの出力を整流してコンデンサー又は２次電池に充電して尾灯を点灯させ、又その一部を利用して方向指示機等にも利用している。
【０００７】
前照灯用の発電機は、通常、前輪側に設けられているので、自転車の前方から後方まで配線しなければならない為、ハンドルの操作により、又は使用時に配線が引っかかる等の事故によって、配線が切断されるようなことがあるので、長い年月の使用には不向きである。
【０００８】
後輪側に尾灯専用の発電機を設けたものもある。アーチ状の金具に左右２個の発電コイルを取り付け、後輪のリムにクリップ金具を介してマグネットを取り付け、後輪の回転により、マグネットが２個のコイルの間を通過する際の発電を利用しようとする物である。（特許文献２参照）。
【先行技術文献】
【特許文献】
【０００９】
【特許文献１】特開２０００−２５６６８号公報
【特許文献２】特開平１０−６７３５７号公報
【特許文献３】特開２０１２−１５７１８４号公報
【特許文献４】特開２０１２−２４９４４２号公報
【特許文献５】特開昭６４−３９２５６号公報
【発明の概要】
【発明が解決しようとする課題】
【００１０】
コイルに誘導電流を発生させるマグネットとそのマグネットに反発力を与えるマグネットを同一パイプ内に納め、更に圧縮バネを取り付けて小さな振動をより大きく振動させ、その振動発電装置を人が手で振って発電する物や、振動発電装置を物体に取り付け、その物体の振動により発電して電力を得るものがある。（特許文献３、４、５参照）
【００１１】
これらは、常時同一方向からの振動により電力を取得し、高い振動回数や振動スピードが必要とされ、又それより得た電力を主に常時使用する装置への電力供給源として考えられている。又、衣服やペット等に電池式の発光装置を取り付ける照明装置もあるが、電池の消耗等により交換しなければならず、コスト高となる。
【００１２】
したがって、本発明の目的はコイルとマグネットを近づけ、コイル内部でマグネットが外部振動により移動するように形成して更に、マグネットを移動させようとする外部の力が単発的で遅い動きでもマグネットを瞬間的に移動させ、コイルに誘導電流を発生させるようにしたものであり、コイルに誘導電流を発生させるマグネットを有するパイプに引っ張りバネや圧縮バネ、マグネット等を取り付け、この引っ張りバネや圧縮バネの伸縮及びマグネットどうしの吸引力や反発力等を利用して、コイルに誘導電流を発生させるマグネットを瞬時に移動させ、瞬間的に発生する誘導電流を利用して発光ダイオードを点灯させるようにする。
【００１３】
これにより、この装置をペットのリード、人の衣服や手及び杖等に取り付け、それら外部移動体の変化により、マグネットを瞬時に移動させて発電し、それを取り付けた物体の存在を外部に知らせるようにしたものである。
【課題を解決するための手段】
【００１４】
本発明の物体位置表示器は、コイルに誘導電流を発生させるマグネットとそのマグネットに反発力を与えるマグネットを同一パイプ内に納め、そのパイプの外側にコイルを取り付けたパイプを設け、更にマグネットを内部に有するパイプを瞬時に移動させる為に、引っ張りバネや圧縮バネ、吸引力や反発力を与えるマグネットを利用して、それらと外部エネルギーの変化と組み合わせて発電する機構を構成した振動発電装置と、その発電エネルギーで点灯する発光装置等を備えている。
【００１５】
コイルに誘導電流を発生させるマグネットとそれに反発力を与える極性のマグネットをパイプの底辺に固定して同一パイプ内に収め、そのパイプの上部には、引っ張りバネを接続して、引っ張りバネのもう一方を接続部材で固定し、その接続部材とワイヤーを接続して移動部を形成する。
【００１６】
一方で、その移動部パイプの底辺に固定されたマグネットに吸引力を与える極性のマグネットを別パイプの下側に取り付け、又その別パイプの外側にコイルを取り付けて、移動部のパイプがコイル内を移動できるようにして固定部を形成し、移動部の底部マグネットと固定部のパイプの下側に取り付けたマグネットが互いに吸引し合い接近している状態にする。
【００１７】
ワイヤーが緩み、移動部のパイプの底部マグネットと固定部の底部のマグネットが互いに吸引し合い接近している状態において、移動部のパイプ内部のコイルに誘導電流を与えるマグネットはパイプ底部のマグネットに反発している為、パイプ内で宙に浮いている状態である。
【００１８】
この状態に於いて、外部より物体位置表示器全体に上下の振動を加えると、パイプ内のマグネットはその上下振動によって移動し、結果外側のコイル内を往復移動し、コイルに正逆の誘導電流が流れ、これらの発生した誘導電流はブリッジダイオードで整流され、終端の発光ダイオードが点灯する。  
【００１９】
又、移動部の底部に取り付けたマグネットと固定部に取り付けたマグネットが吸引して近づいている状態で、外部よりワイヤーを引いていくと、ワイヤーの先の引っ張りバネは伸びていく。
【００２０】
更に、ワイヤーを引き続け、やがて引っ張りバネの収縮力がマグネットどうしの吸引力を上回ると引っ張りバネに接続されたパイプはワイヤー方向へ移動し、その結果コイル内を瞬時にパイプ内のマグネットが移動し、その瞬間的移動によりコイルに誘導電流が発生する。
【００２１】
この状態に於いても、外部より物体位置表示器全体に上下の振動を加えると、パイプ内のマグネットはその上下振動によって移動し、結果外側のコイル内を往復移動し、コイルに正逆の誘導電流が流れ、これらの発生した誘導電流はブリッジダイオードで整流され、終端の発光ダイオードが点灯する。
【発明の効果】
【００２２】
本発明の物体位置表示器は、コイルに誘導電流を発生させるマグネットをパイプ内に入れ、そのマグネットに反発力を与える極性のマグネットをパイプ底部へ取り付けて、コイルに誘導電流を発生させるマグネットを宙に浮かした状態で、外部より振動を与えてそのマグネットを大きく移動させることにより、パイプの外に取り付けたコイル内を往復移動させることが出来き、コイルに発生した誘導電流により発光ダイオードを点灯することができる。
【００２３】
一方で、外部よりワイヤーをゆっくり引き続け、引っ張りバネの収縮力が移動部のパイプ低部のマグネットと固定部のマグネットの吸引力より上回った瞬間、パイプ内のマグネットが瞬時にコイル内を移動するので、ワイヤーの引っ張る移動速度にかかわらず外側のコイルに瞬間的な電気エネルギーを発生させることができ、数個の高照度の発光ダイオードを点灯することができる。
【００２４】
それにより、この機構を構成した装置を物体に取り付け、この装置全体に上下振動を与えた場合及び、主に外部エネルギーの伸縮力を本装置のワイヤーに伝達することにより、パイプ内部のマグネットがコイル内を移動し、コイルに誘導電流を発生させて終端の発光ダイオードを点灯し、その物体の取り付け位置や存在を知らせることができる。
【００２５】
それ故、この装置にクリップや押しボタンやワイヤーの収縮装置等を取り付け、ペット用のリードや人の手や衣服、杖等に取り付けた場合、外部エネルギーである張力や伸縮力、重力を利用でき、それらの動きがゆっくりでも確実にその取り付け物体やその付近の存在を外部に知らせることが可能となる。
【００２６】
これにより、夜間の散歩や外出等に利用でき、発光ダイオードを点灯させる為の電池は不要となる。又、コイルの発電波形がパルスなので発光ダイオードの点灯を点滅させる為の制御回路は必要なく、コストを低く抑えることが出来る。
【図面の簡単な説明】
【００２７】
【図１】本発明の物体位置表示器を取り付けた実施例を示したもので、（Ａ）は物体位置表示器をリードに取り付けた斜視図であり、（Ｂ）はＡ−Ａ部分の断面図で、ワイヤーが緩んだ場合を示したものであり、（Ｃ）はＡ−Ａ部分の断面図で、ワイヤーを引き寄せ引っ張りバネが伸びた場合を示したものであり、（Ｄ）はＡ−Ａ部分の断面図で、ワイヤーを引き寄せ引っ張りバネが縮んだ場合を示したものである。
【図２】本発明の実施形態を示したもので、（Ａ）は通常の状態を示した斜視図であり、（Ｂ）はその時のＡ−Ａ部分の断面図であり、（Ｃ）は押しボタンを押して外パイプと内パイプが下降した場合の断面図であり、（Ｄ）は押しボタンを押して内パイプが下降し、外パイプが上昇した場合の断面図である。
【図３】本発明の実施形態における物体位置表示器の他の実施形態を示したもので、（Ａ）は図２の圧縮バネを利用する代わりに、引っ張りバネを利用して通常の状態を示した断面図であり、（Ｂ）は押しボタンを押して外パイプと内パイプが下降した場合の断面図であり、（Ｃ）は押しボタンを押して外パイプが下降し、内パイプが上昇した場合の断面図であり、（Ｄ）は（Ａ）の引っ張りバネと固定マグネットを上板に取り付け、吸引マグネットを上蓋に取り付け、通常の状態を示した断面図である。
【図４】本発明の実施形態における物体位置表示器の他の実施形態を示したもので、図１（Ｂ）の断面図において、固定マグネットを内パイプに移動し、又引っ張りバネを発電マグネットに直接取り付けた場合の断面図で、ワイヤーが緩んだ状態を示した断面図であり、（Ｂ）はその状態からワイヤーを引っ張った断面図である。
【図５】本発明の実施形態における物体位置表示器の他の実施形態を示したもので、（Ａ）は図４（Ａ）の接続部材側に固定マグネット等を取り付け、下蓋に発電マグネットと引っ張りバネを取り付け、ワイヤーが緩んでいる状態を示した断面図であり、（Ｂ）はその状態からワイヤーを引っ張った断面図である。
【図６】本発明の実施形態における物体位置表示器の他の実施形態を示したもので、図５（Ａ）の内パイプを取って、架台に発電マグネットと引っ張りバネを接続してワイヤーが緩んでいる状態を示した断面図であり、（Ｂ）はその状態からワイヤーを引っ張った断面図である。
【図７】本発明の実施形態における物体位置表示器の他の実施形態を示したもので、（Ａ）は引っ張りバネを利用しないで、閉塞板と固定マグネットを利用したもので、ワイヤーが緩んでいる状態の断面図であり、（Ｂ）はその状態からワイヤーを引っ張った断面図である。
【図８】本発明の実施形態における物体位置表示器の他の実施形態を示したもので、（Ａ）は内パイプを移動させる手段として圧縮バネを利用した場合の通常の状態を示した断面図であり、（Ｂ）は押しボタンを押した場合の断面図である。
【図９】本発明の実施形態を示したもので、（Ａ）は発電マグネットを移動させる手段として、移動するマグネットを外部に取り付けた場合の一部分を断面図にしたもので、（Ｂ）はその移動するマグネットを発電マグネットに近づけた場合の断面図である。
【図１０】本発明の実施形態における物体位置表示器の他の実施形態を示したもので、（Ａ）は物体位置表示器の上部にレバー押さえを取り付けた場合の斜視図であり、（Ｂ）はその上部を表した断面図である。
【図１１】本発明の実施形態における物体位置表示器の他の実施形態を示したもので、（Ａ）は物体位置表示器をホルダー内部に納め、ホルダーを杖に取り付けた斜視図であり、（Ｂ）はその断面図である。
【図１２】コイルとブリッジダイオード等の配線及び発光ダイオードを示した回路図である。
【図１３】本発明の実施形態における物体位置表示器の他の実施形態を示したもので、（Ａ）は実施例８の図８（Ａ）の上蓋に固定マグネット、押しボタン先端に吸引マグネットを取り付けた断面図であり、（Ｂ）は上蓋に吸引マグネット、上カバーに固定マグネットを取り付けた断面図、（Ｃ）は上蓋と上カバー間に引っ張りバネを取り付けた断面図、（Ｄ）は発電マグネットを押しボタンで直接押した場合の断面図である。
【図１４】本発明の実施形態における物体位置表示器の他の実施形態を示したもので、（Ａ）は実施例１の図１（Ｂ）の引っ張りバネを無くし、上蓋に固定マグネットとクッションを取り付け、ワイヤー側に吸引マグネットを取り付けた断面図であり、（Ｂ）は図１４（Ａ）の下蓋下部と架台間に引っ張りバネを取り付けた断面図、（Ｃ）は図１４（Ａ）の圧縮バネを取り除き、上カバーに固定マグネット、上蓋に吸引マグネットを取り付けた断面図である。
【発明を実施するための形態】
【実施例１】
【００２８】
以下、本発明に係る振動発電装置と物体位置表示器の好適な実施形態を、図面に従って説明する。
【００２９】
図１（Ａ）は本発明の物体位置表示器２８の一実施例であり、物体位置表示器２８にケーブルクリップ２を取り付け、又ワイヤー５の先にクリップ７を取り付けて、リード８に物体位置表示器２８を取り付けた斜視図であり、（Ｂ）はＡ−Ａ部分の断面図である。
【００３０】
物体位置表示器２８の内部構造は図１（Ｂ）に示すように、内パイプ１４内にコイル１２に誘導電流を発生させる発電マグネット２０を入れ、それに反発力を与える極性の移動マグネット１８を内パイプ１４の底辺に固定して、これらを同一内パイプ１４内に収め、その内パイプ１４の上部には、上蓋１６を取り付け、その上蓋１６に引っ張りバネ２１を接続して、引っ張りバネ２１のもう一方を接続部材１７と連結し、その接続部材１７とワイヤー５を接続して移動部を形成する。
【００３１】
一方で、この内パイプ１４の外側には外パイプ４があり、移動部の内パイプ１４底辺に固定された移動マグネット１８に吸引力を与える極性の固定マグネット１９をこの外パイプ４の下側に設けた架台２５の中央部に取り付け、更にこの外パイプ４の外側にコイル１２を取り付けて、移動部の内パイプ１４が外パイプ４の内側を移動してコイル１２内を移動できるようにして固定部を形成し、移動部の移動マグネット１８と固定部の固定マグネット１９が互いに吸引し合い接近している状態にする。
【００３２】
又、この固定部の外パイプ４には、コイル１２から発生する電流を整流する為のブリッジダイオード１１があり、更にそこから電線１０が出て抵抗９へ接続されて架台２５に設置された発光ダイオード３へ接続されており、コイル１２の外側には外ケース２７が取り付けられている。
【００３３】
固定部下部にある固定マグネット１９の中心部付近に調整ネジ２６が設置され、この調整ネジ２６により移動部の移動マグネット１８と固定部の固定マグネット１９との吸引力を調整できるようにしてあり、この吸引力が一定の場合等はクッションを挿入してこの調整ネジ２６を省いても良い。
【００３４】
内パイプ１４内にある発電マグネット２０と移動マグネット１８は互いに反発し合う極性にし、発電マグネット２０が内パイプ１４内で宙に浮いている状態にする。
又、内パイプ１４の上蓋１６と発電マグネット２０の間にクッション１５を挿入し、発電マグネット２０が上昇した時の衝撃や音を吸収するようにする。
【００３５】
内パイプ１４の上蓋１６と引っ張りバネ２１の片側を接続し、もう片方を接続部材１７と連結し、更に、その接続部材１７の片側にワイヤー５を接続し外ケース２７の上部に設けた上カバー１の穴より外部へワイヤー５を出し、その先のクリップ７にワイヤー５を繋ぐ。
【００３６】
内パイプ１４内の発電マグネット２０と上蓋１６間にあるクッション１５は発電マグネット２０が移動してぶつかった時の衝撃を吸収し、又、衝撃音を小さくする為等に取り付けられているので、スポンジやゴム、スプリング、エアークッション等のもので形成しても良い。
【００３７】
このクッション１５の材質は出来る限り非磁性体の物を利用し、大きさや収縮力、幅等は引っ張りバネ２１の張力や発電マグネット２０の移動速度、及び終端の発光ダイオード３を点灯する個数等を考慮して決められる。
【００３８】
接続部材１７と外ケース２７の上部にある上カバー１の間には、圧縮バネ２３がありその中心部をワイヤー５が通っている。
ワイヤー５を引っ張って、その先の引っ張りバネ２１や内パイプ１４を移動させた時、この圧縮バネ２３は上カバー１と接続部材１７間で縮み、ワイヤー５を緩めた時に反発して伸びて、内パイプ１４を元の位置へ戻す役目をしている。
【００３９】
又、ワイヤー５の代わりにゴムやカールコード等の伸縮性のある物を利用して圧縮バネ２３を省いても良く、ワイヤー５を緩めたときに、移動部と固定部のマグネットの吸引力が強く、又内パイプ１４等の重力を利用できて両マグネットが吸引して近づけるときは同様に圧縮バネ２３を省いても良い。
【００４０】
本案による発電マグネット２０と移動マグネット１８の極性は、互いに反発し合う極性にしてあり、固定マグネット１９も同様にネオジウム磁石を用いている為、その磁力は非常に強く、内パイプ１４内で発電マグネット２０を宙に浮かすことができ、これにより移動マグネット１８を内パイプ１４底部の外側に取り付けても良い。
【００４１】
図１（Ｂ）において、物体位置表示器２８を上下に振ると外ケース２７内の圧縮バネ２３や引っ張りバネ２１が伸縮する。
それにより内パイプ１４内部の発電マグネット２０も上下に大きく移動し、コイル１２内を上下に移動する。
【００４２】
外パイプ４の外側にはコイル１２があり、そのコイル１２を接着剤等で外パイプ４に固定する。
コイル１２より出た線は、電線１０により、ブリッジダイオード１１、抵抗９を経て発光ダイオード３へ接続され、図１２の回路図のように示される。
このコイル１２は図１（Ｂ）に示すようにボビン１３にポリエステル樹脂等で被われた銅線又はエナメル線等を巻いて形成し、外パイプ４と接着剤等で固定される。
【００４３】
圧縮バネ２３は上カバー１と接続部材１７間で自由に伸縮できるようにし、又引っ張りバネ２１も上蓋１６と接続部材１７間で自由に伸縮できるようにする。
ワイヤー５と接続部材１７、接続部材１７と引っ張りバネ２１及び上蓋１６の接続方法は、ネジやナットを利用して連結しても良く、溶接等で接続しても良い。
又、ワイヤー５の代わりにチェーンや紐、伸縮性のゴムや引っ張りバネ等、外部エネルギーの変化を移動部の接続部材１７に伝達できる物を使用しても良い。
【００４４】
接続部材１７や上蓋１６、各種バネ、調整ネジ２６、ボビン１３、内パイプ１４、外パイプ４、架台２５、クッション１５、上下カバー等の材質は出来る限り発電マグネット２０や移動マグネット１８に影響を与えないアルミやステンレス、プラスチック、ガラス、ゴム等の非磁性体の物を用い、又、ボビンレスコイルを利用して、直接外パイプ４にコイル１２を取り付けても良く、それにより軽量化と簡略化がはかれる。
【００４５】
移動マグネット１８の磁力が大きく、この移動マグネットと調整ネジ２６との切り離しが容易に行なわれる場合、固定マグネット１９の代わりに磁性体の物を取り付けても良く、又は調整ネジ２６を磁性体の物に代えて固定マグネット１９を取り付けなくても良い。
【００４６】
外ケース２７の下方には外部より発光ダイオード３の光が分かるように透明な樹脂等で形成した下カバー６が接着剤等で取り付けられ、下カバー６底部の内側には反射材等を貼り付けて、発光ダイオード３の光を下カバー６側面に反射させるようにし、外部より物体位置表示器２８の存在を認識できるようにする。
尚、下カバー６と外ケース２７の接続を互いにネジ加工し連結しても良く、両方に収縮チューブ等を被せ繋ぎ合わせても良い。
【００４７】
これにより、本発明の振動発電装置を説明すると、図１（Ｂ）に於いて、内パイプ１４の上部には上蓋１６が取り付けられ、その上蓋１６より引っ張りバネ２１、接続部材１７、ワイヤー５がそれぞれ連結され、更にワイヤー５の先には図１（Ａ）に示すようにクリップ７が接続され、リード８にクリップ７が取り付けられている。
【００４８】
接続部材１７と外ケース２７の上部にある上カバー１の間には、圧縮バネ２３があり、その伸縮力により、リード８が緩んだ状態ではワイヤー５を引っ張り、内パイプ１４内の移動マグネット１８と固定マグネット１９は吸引しあい接近している。
【００４９】
内パイプ１４内には発電マグネット２０が挿入されており、又内パイプ１４下部にはこの発電マグネット２０に反発力を与える極性の移動マグネット１８が固定され、発電マグネット２０を宙に浮かした状態にし、更に発電マグネット２０上部にクッション１５を挿入し、これらにより移動部を形成している。
【００５０】
図１（Ａ）や（Ｂ）に示すように、外ケース２７にはネジ２２とナット２９により、ケーブルクリップ２をしっかり固定し、そのケーブルクリップ２をリード８に絡ませ、物体位置表示器２８をリード８に固定する。
発電マグネット２０の上部には衝撃や音を吸収する為のクッション１５が挿入され、図１（Ｂ）に於いて、発電マグネット２０の上部移動をこのクッション１５で停止するようにする。
【００５１】
一方で、この内パイプ１４の外側には外パイプ４があり、移動部の底辺に固定された移動マグネット１８に吸引力の磁力を与える固定マグネット１９が外パイプ４の下方の架台２５に取り付けられ固定部を形成している。
又、この固定部の外パイプ４の外側にはコイル１２があり、移動部の内パイプ１４内の発電マグネット２０はこのコイル１２内を上下に移動できる状態である。
【００５２】
外パイプ４には、コイル１２から発生する電流を整流する為のブリッジダイオード１１や抵抗９が接着剤等で取り付けられ、ブリッジダイオード１１から電線１０で抵抗９へ接続され、架台２５に設置された発光ダイオード３へ接続され、コイル１２の外側と外ケース２７の内側は接着剤等で固定されている。
【００５３】
この外パイプ４の下方の架台２５にある固定マグネット１９の中心部付近に調整ネジ２６が設置され、この調整ネジ２６により移動部の移動マグネット１８と固定部の固定マグネット１９との吸引力を調整できるようにしてある。
【００５４】
これらにより、ワイヤー５が緩んでいる状態で物体位置表示器２８を上下に振ると外ケース２７内の圧縮バネ２３や引っ張りバネ２１が伸縮し、内パイプ１４内部の発電マグネット２０も上下に大きく移動し、コイル１２内を上下に移動する為、終端の発光ダイオード３を点灯することができる。
【００５５】
この状況で、外部よりリード８を伸ばしてワイヤー５を引っ張ると、図１（Ｃ）に示すように、圧縮バネ２３は縮み、ワイヤー５に連結された接続部材１７も移動し、接続部材１７と上蓋１６間の引っ張りバネ２１も伸びていく。
【００５６】
更にワイヤー５を引っ張っていき移動マグネット１８と固定マグネット１９の磁力による吸引力より引っ張りバネ２１の収縮力が勝った時、内パイプ１４は図１（Ｄ）のように上方へ瞬時に移動し、内パイプ１４内の発電マグネット２０はコイル１２内を瞬時に移動する。
この瞬間コイル１２には誘導電流が流れ終端の発光ダイオード３が点灯する。この動作は、ワイヤー５の動きが遅くても瞬時に行なわれる。
【００５７】
又、このワイヤー５を引っ張った状態で、物体位置表示器２８を上下に振ると、内パイプ１４内の発電マグネット２０も上下に移動してコイル１２内を移動するので、発光ダイオード３を点灯させることができる。
【００５８】
図１（Ｄ）において、圧縮バネ２３が縮み、引っ張りバネ２１も縮み、内パイプ１４の上昇移動が停止し、その後、外部よりの引張りが無くなりワイヤー５が緩むと、圧縮バネ２３の反発力と内パイプ１４の重力及び移動マグネット１８と固定マグネット１９の吸引力等により、内パイプ１４が引き戻され、これと同時に発電マグネット２０も再度元の位置方向に移動しコイル１２内を移動することになる。
この瞬間コイル１２には前回と逆向きの誘導電流が流れ、ブリッジダイオード１１の整流により終端の発光ダイオード３を再点灯する。
【００５９】
本発明の振動発電装置は、内パイプ１４の底辺に固定した移動マグネット１８と外パイプ４に取り付けた固定マグネット１９の吸引力より、内パイプ１４に取り付けた引っ張りバネ２１の収縮力がまさった時に内パイプ１４を引っ張って、内パイプ１４内の発電マグネット２０を瞬時に移動させてコイル１２内部を移動することにより、コイル１２に誘導電流を発生させるものである。
【００６０】
それ故、移動マグネット１８と固定マグネット１９の吸引力を弱くする方向へ力を加え、引っ張りバネ２１の代わりに伸縮性のゴムやクッション等を利用し、引っ張りバネ２１を利用しないで両マグネットを引き離し、瞬時に内パイプ１４を移動させる構造にしても良い。
【００６１】
次に、上記本発明の振動発電装置を備えた物体位置表示器２８の動作を図面に従って説明する。
図１（Ａ）はペットの散歩時に使用するリード８へ物体位置表示器２８を取り付けた場合で、図１（Ｂ）に示すように物体位置表示器２８にはケーブルクリップ２がネジ２２とナット２９を利用してしっかり固定されており、一方でワイヤー５の先にクリップ７を取り付け、ケーブルクリップ２と一緒にリード８へ取り付ける。
【００６２】
物体位置表示器２８とクリップ７のリード８への取り付けは、物体位置表示器２８をケーブルクリップ２でリード８へ巻きつけて固定した後、リード８を直線にした状態でワイヤー５を引っ張り、図１（Ｂ）、（Ｃ）、（Ｄ）の順序のように、圧縮バネ２３が縮み、引っ張りバネ２１が伸びきって、その後、又、縮み、内パイプ１４を外ケース２７の上部まで移動させてクリップ７をリード８へ取り付ける。
【００６３】
その後リード８を緩め、圧縮バネ２３の反発力や移動マグネット１８と固定マグネット１９の吸引力等により、リード８を引き寄せリード８が曲線になるようし、その状態を示したのが図１（Ａ）である。
【００６４】
物体位置表示器２８の内部構造は前延の振動発電装置で説明した内容で一部省略するが、この状態でのリード８の片側をペットの首輪等に取り付け、もう片方を人が持って散歩等に出かけた場合、故意に人がリード８を揺らすと、内パイプ１４内の発電マグネット２０は上下に移動し、コイル１２内を通過して、発光ダイオード３を点灯する。
【００６５】
一方で、ペットと人の距離が開いてリード８が直線方向に引っ張られると、クリップ７の先のワーヤー５、引っ張りバネ２１、内パイプ１４が引っ張られ、引っ張りバネ２１が伸び、更にリード８が伸びてワイヤー５を引っ張っていき、移動マグネット１８と固定マグネット１９の磁力による吸引力より引っ張りバネ２１の収縮力が勝った時、内パイプ１４は瞬時に移動する。
【００６６】
この瞬間コイル１２には誘導電流が流れ終端の発光ダイオード３が点灯する。この動作は、人とペットの距離がゆっくり離れても瞬時に行なわれ、これによりペットと人の存在を外部に知らせることができる。
又、この状態でも故意に人がリード８を揺らすと、内パイプ１４内の発電マグネット２０は上下に移動し、コイル１２内を通過して、発光ダイオード３を点灯することができる。
【００６７】
その後、人とペットの距離が狭くなり、リード８が緩むと、圧縮バネ２３の伸びようとする力や移動マグネット１８と固定マグネット１９の吸引力や内パイプ１４の重力等により、元の位置方向へ内パイプ１４が引き戻され、これと同時に発電マグネット２０も再度コイル１２内を移動する。
この瞬間コイル１２には前回と逆向きの誘導電流が流れ、ブリッジダイオード１１の整流により終端の発光ダイオード３を再点灯する。
【００６８】
図１（Ｂ）では、内パイプ１４の内部に挿入する発電マグネット２０の形状は円筒形であるが、球状にしても良く、内パイプ１４や外パイプ４の形状を多角にし、挿入する発電マグネット２０を多角柱にしてもよい。
又、上カバー１等にマグネット又は磁性体部品を取り付けてそれを移動可能にし、外ケース２７に近づけその磁力により発電マグネット２０の移動を停止させ、発光ダイオード３の点灯をＯＮ、ＯＦＦ制御しても良い。
【００６９】
コイル１２に発生する電力は、主に発電マグネット２０の磁界と、コイル１２内を通過するスピード、及びコイル１２の巻き線数等によるが、発電マグネット２０の磁界と、コイル１２の巻き線数は通常のリード８の伸縮や外部振動等で発光ダイオード３を点灯させることができる値を決めればよい為、抵抗９を省いても良く、発光ダイオード３の数を複数にしても良い。
【００７０】
更に外ケース２７にソケットを設け、このソケットに発光ダイオード３への出力を並列に入れ、ソケットにプラグを差し込んで、プラグより出る電線を長くして、その先に別な発光ダイオードを取り付けて、その発光ダイオードを人の衣服等へクリップで取り付けて点灯させても良い。
【００７１】
前延では、物体位置表示器２８の外ケース２７にケーブルクリップ２をネジ２２とナット２９で締め付けて動かないように固定しているが、ケーブルクリップ２がネジ２２を支点に自由に回転できるようにネジ２２と外ケース２７の間に隙間を設け、ナット２９で固定しても良い。  
これにより、物体位置表示器２８はワイヤー５の引っ張られた先に対し、内部の内パイプ１４が常に張力方向へスムーズに移動できるようになる。
又、ケーブルクリップ２の代わりに、ゴムバンドやクリップ、紐等で固定しても良い。
【００７２】
図１（Ｂ）では、内パイプ１４の移動に引っ張りバネ２１を利用しているが、これの代わりに伸縮性のゴムやクッション等を利用しても良く、移動マグネット１８の磁力が大きく、この移動マグネット１８と調整ネジ２６との切り離しが容易に行なわれる場合、固定マグネット１９の代わりに磁性体の物を取り付けても良く、又は調整ネジ２６を磁性体の物に代えて固定マグネット１９を取り付けなくても良い。
【００７３】
本発明では発電マグネット２０が、外部振動により上下移動してコイル１２内を通過して発電を行なうことができ、更に引っ張りバネ２１を引っ張り、移動マグネット１８と固定マグネット１９の吸引力の開放時に、瞬時に内パイプ１４を移動させ、それによりコイル１２内を発電マグネット２０が移動してコイル１２に瞬間的な誘導電流を発生させることにより終端の発光ダイオード３を点灯し、又、発電マグネット２０とコイル１２の移動開始位置、移動時の軌道が常に同じ状態になり、確実に安定した電力を発生することができる。
【００７４】
これにより、ケーブルクリップ２とクリップ７をリード８に取り付け、ペットの散歩等に利用すると、リード８の振動やリード８の伸縮により、発光ダイオード３を点灯することができ、人やペットの存在位置を外部に知らせることができる。
【実施例２】
【００７５】
次に、人が物体位置表示器２８を手に持って外部にその存在位置を知らせるようにした実施例を図面に従って説明する。
図２（Ａ）は物体位置表示器２８を手に持って外部にその位置を知らせるように、図１（Ａ）の一部を変化させた斜視図であり、図２（Ｂ）は図２（Ａ）のＡ−Ａ部分の断面図である。
外ケース２７の上部に押しボタン３１を出し、上カバー１と押しボタン３１の間に圧縮バネ２３を取り付け、又、この外ケース２７側面に保持バンド３０をネジ２２で押さえ、この保持バンド３０に指を入れて物体位置表示器２８をつかむことができるようにしたものである。
【００７６】
図１（Ｂ）の内パイプ１４上部の上蓋１６に吸引マグネット３２を設置し、下部先端をネジ加工してある押しボタン３１の先端とナット等により、内パイプ１４の上蓋１６と吸引マグネット３２を挟んでこれらを一緒に固定する。これにより、押しボタン３１を下方へ押すと、内パイプ１４と上蓋１６にある吸引マグネット３２は下方へ移動する。
発電マグネット２０がある内パイプ１４の内部構造は実施例１の図１（Ｂ）と同じなので説明を省略する。
【００７７】
外ケース２７の上カバー１と押しボタン３１の間に圧縮バネ２３を配置し、押しボタン３1を指で下方へ押した場合、内パイプ１４全体は下方へ移動し、圧縮バネ２３は縮み、又指を離すと圧縮バネ２３の反発力により、押しボタン３１は上方の元の位置へ移動する。
又、外ケース２７の上カバー１の下側と外パイプ４の上板３６の下側にそれぞれクッション３４が取り付けられている。
【００７８】
このクッション３４は内パイプ１４が移動して外パイプ４の上板３６にあたった時、及び外パイプ４が移動して上カバー１にあたった時の衝撃や音を吸収する為に取り付けられており、衝撃が小さいときは取り付けなくても良く、又、バネ等を利用しても良い。
【００７９】
内パイプ１４と内パイプ１４上部の上蓋１６や、外ケース２７と外ケース２７上部の上カバー１及び、外パイプ４と外パイプ４上部の上板３６はそれぞれ接着剤等で固定され、更に上板３６の上部にも接着剤等で固定マグネット１９が取り付けられて固定されており、この固定マグネット１９と内パイプ１４上部の吸引マグネット３２は互いに吸引し合う極性にし、両マグネットのどちらか一方を磁性体の物を使用して吸引させても良い。  
【００８０】
外パイプ４底部には図２（Ｂ）のような架台２５を取り付け、これも外パイプ４底部と接着剤等で固定する。又、この架台２５の中心部にはサポートネジ３８が取り付けられており、ナット等によりこの架台２５と接続して固定されている。
【００８１】
架台２５に取り付けられたサポートネジ３８と外ケース２７の下カバー６の間に底部圧縮バネ３３を挿入し、押しボタン３１を押して外パイプ４が下降した時に底部圧縮バネ３３は縮み、押しボタン３１を離したときには底部圧縮バネ３３は反発して伸び、外パイプ４を上昇させる。
【００８２】
図１（Ｂ）同様、内パイプ１４内の発電マグネット２０は移動マグネット１８と反発し合う極性にしてある為、内パイプ１４内で宙に浮いている状態で、外部振動により自由に上下できる状態である。
この内パイプ１４の上部には、クッション１５を挿入して、衝突時の衝撃や音を吸収させており、その衝撃が小さい場合等はクッション１５を使用しなくても良い。
【００８３】
押しボタン３１は圧縮バネ２３により、又、外パイプ４下方に取り付けられた架台２５も底部圧縮バネ３３によりそれぞれ上に押されており、これにより固定マグネット１９と吸引マグネット３２は吸引し合い、上板３６と上蓋１６はそれぞれ押しボタン３１側に近づいている。
この状態で保持バンドに３０に指を入れ、物体位置表示器２８を人が手に持って上下に振ると内パイプ１４の発電マグネット２０も大きく上下に移動し、外パイプ４に取り付けたコイル１２内を移動し、終端の発光ダイオード３が点灯する。
【００８４】
一方で、押しボタン３１を人の親指等で押すと、図２（Ｃ）のように、圧縮バネ２３は縮み、同様に架台２５の底部圧縮バネ３３も縮む。
押しボタン３１の先端に取り付けた内パイプ１４は下方へ移動し、吸引マグネット３２の磁力により吸引されている固定マグネット１９を有する外パイプ４も下方へ移動する。
【００８５】
更に押しボタン３１を押していき、吸引マグネット３２と固定マグネット１９の吸引力より底部圧縮バネ３３の反発力が勝ったとき、図２（Ｄ）のように、コイル１２を有する外パイプ４はその底部圧縮バネ３３の反発力により上方へ瞬時に移動する。
この動作は発電マグネット２０の外側をコイル１２が移動したことになり、終端の発光ダイオード３を点灯することができる。
【００８６】
又、この押しボタン３１を押した状態で、物体位置表示器２８を上下に振ると、内パイプ１４内の発電マグネット２０も上下に移動でき、コイル１２内を移動するので発光ダイオード３を点灯させることができる。
【００８７】
図２（Ｄ）において、圧縮バネ２３が縮み、底部圧縮バネ３３が伸び、外パイプ４の移動が停止し、その後押しボタン３１を押すのをやめ開放すると、圧縮バネ２３の反発力や固定マグネット１９と吸引マグネット３２の吸引力等により押しボタン３１は上方へ移動し、これにより内パイプ１４も上方へ移動して再度固定マグネット１９と吸引マグネット３２が近づいて吸引し合い、図２（Ｂ）の状態となる。
【００８８】
図２（Ａ）に於いて使用している保持バンド３０は収縮するビニール、ナイロン、プラスチック、ゴム等で成形しても良く、又、輪の一部を切断して両側をボタン構造に、或はオス、メスの簡易テープで繋ぎ合わせ、容易に手のサイズに合わせることができる構造にしても良く、更にこの物体位置表示器２８を手にしっかり密着できるときは、保持バンド３０を取り付けなくても良い。
その他の動作や、取り付け部品、図面の説明内容は実施例１と殆ど同様なので省略する。
【００８９】
本実施例の振動発電装置は、内パイプ１４に固定した吸引マグネット３２と外パイプ４に取り付けた固定マグネット１９の吸引力より、外パイプ４下部の架台２５と外ケース２７底部の下カバー６の間にある底部圧縮バネ３３の反発力がまさった時に、両パイプを引き離して発電マグネット２０の外側を瞬時に外パイプ４を移動させ、発電マグネット２０がコイル１２内部を移動することと同じになり、コイル１２に誘導電流を発生させるものである。
【００９０】
それ故、吸引マグネット３２と固定マグネット１９の吸引力を弱くする方向へ力を加え、底部圧縮バネ３３やサポートネジ３８を利用しないで、下カバー６底部へ新たなマグネットを取り付け、更に、このマグネットに反発力を与えるマグネットをサポートネジ３８が固定されていた架台２５へ取り付けた場合、これら両マグネットの反発力が吸引マグネット３２と固定マグネット１９の吸引力よりまさった時に、両パイプを引き離し、外パイプ４を瞬時に移動させてコイル１２に誘導電流を発生させることも可能になる。
又、底部圧縮バネ３３を利用せず、マグネットを組み合わせて両パイプを引き離す構造にしても良い。（図示せず）
【実施例３】
【００９１】
次に、押しボタン３１を使用し内パイプ１４の移動に引っ張りバネ２１を利用した場合の実施例について図面に従って説明する。
図３（Ａ）は、実施例１、２同様、物体位置表示器２８の断面図を示しており、図１（Ｂ）と図２（Ｂ）を組合せたような物で、図２（Ｂ）の外ケース２７の上カバー１にネジ３５を取り付け、それよりワイヤー３９を出して、引っ張りバネ２１に接続してあり、又この引っ張りバネ２１の片側を内パイプ１４の上蓋１６に取り付け、ネジ等で固定する。
【００９２】
図３（Ａ）の外パイプ４の上板３６と下部先端をネジ加工してある押しボタン３１をナット等により固定する。
これにより、押しボタン３１を下方へ押すと、外パイプ４は下方へ移動する。
外ケース２７の上カバー１と押しボタン３１の間に圧縮バネ２３を設け、押しボタン３１を指で下方へ押した場合、外パイプ４全体は下方へ移動して圧縮バネ２３は縮み、又指を離すと圧縮バネ２３の反発力により、押しボタン３１は上方の元の位置へ移動する。
【００９３】
実施例１、２と同様に、内パイプ１４の下蓋２４には移動マグネット１８があり、発電マグネット２０と反発しあう極性にしており、発電マグネット２０は内パイプ１４内で宙に浮いた状態である。
又、外パイプ４の架台２５の中心部には移動マグネット１８と吸引しあう極性の固定マグネット１９と調整ネジ２６が取り付けてあり、この調整ネジ２６により両マグネットの吸引力を調整している。
【００９４】
図３（Ａ）では、内パイプ１４の移動に引っ張りバネ２１を利用しているが、これの代わりに伸縮性のゴム等を利用しても良く、移動マグネット１８の磁力が大きく、この移動マグネット１８と調整ネジ２６との切り離しが容易に行なわれる場合、固定マグネット１９の代わりに磁性体の物を取り付けても良く、又は調整ネジ２６を磁性体の物に代えて固定マグネット１９を取り付けなくても良い。
【００９５】
実施例１，２同様、内パイプ１４内の発電マグネット２０は、人がこの物体位置表示器２８を手に持って上下に振ると、その振動によって、発電マグネット２０も大きく上下に移動し、外パイプ４に取り付けたコイル１２内を移動し、終端の発光ダイオード３が点灯する。
【００９６】
一方で、押しボタン３１を人の親指等で押すと、図３（Ｂ）のように、外パイプ４は下降し、圧縮バネ２３は縮み、引っ張りバネ２１は伸び始める。
外パイプ４底部の架台２５に取り付けられた固定マグネット１９と内パイプ１４底部の下蓋２４に取り付けた移動マグネット１８は互いに近づき吸引し合っているので、内パイプ１４も同様に下降していく。
【００９７】
更に押しボタン３１を押していき、移動マグネット１８と固定マグネット１９の磁力による吸引力より、引っ張りバネ２１の収縮力が勝った時、内パイプ１４は図３（Ｃ）のように上方へ瞬時に移動し、内パイプ１４内の発電マグネット２０はコイル１２内を移動する。
この瞬間コイル１２には誘導電流が流れ終端の発光ダイオード３が点灯する。
この動作は、ワイヤー３９の動きが遅くても瞬時に行なわれる。
【００９８】
又、この押しボタン３１を押した状態で、物体位置表示器２８を上下に振ると、内パイプ１４内の発電マグネット２０も上下に移動でき、コイル１２内を移動するので、発光ダイオード３を点灯させることができる。
【００９９】
図３（Ｃ）において、圧縮バネ２３が縮み、引っ張りバネ２１も縮んで内パイプ１４の移動が停止した状態で、押しボタン３１を押すのをやめて開放すると、圧縮バネ２３の伸びようとする力により押しボタン３１は上方へ移動し、これにより外パイプ４も上方へ移動して再度固定マグネット１９と移動マグネット１８が近づいて吸引し合い、図３（Ａ）の状態になる。
その他の動作や、取り付け部品、図面の説明内容は実施例１と殆ど同様なので省略する。
【実施例４】
【０１００】
次に、外パイプ４の上部の上板３６に引っ張りバネ２１と固定マグネット１９を取り付け、内パイプ１４上部の上蓋１６に吸引マグネット３２を取り付けた場合の実施例について説明する。
図３（Ｄ）は物体位置表示器２８の断面図であり、図に示すように、外ケース２７の上カバー１にネジ３５を取り付け、それに引っ張りバネ２１を取り付け、又この引っ張りバネ２１の片側を外パイプ４の上板３６に取り付け、ネジ等で固定する。
【０１０１】
図２（Ｂ）のように、外パイプ４の上板３６の中心部に固定マグネット１９を取り付け、この内部を押しボタン３１の中心部が移動する。
内パイプ１４上部の上蓋１６に固定マグネット１９と吸引しあう極性の吸引マグネット３２を取り付け、この吸引マグネット３２と上蓋１６と下部先端をネジ加工してある押しボタン３１をナット等により固定する。
これにより、押しボタン３１を下方へ押すと、内パイプ１４は下方へ移動する。
又、実施例２と同様に固定マグネット１９と吸引マグネット３２のどちらか一方を磁性体の物にして吸引させても良い。  
【０１０２】
又、外パイプ４の上板３６の下側にクッション３４が取り付けられており、吸引マグネット３２と上板３６の衝突により発生する衝撃や音を吸収する為に取り付けられている。
外ケース２７の上カバー１と押しボタン３１の間に圧縮バネ２３を設け、押しボタン３１を指で下方へ押した場合、内パイプ１４全体は下方へ移動し、圧縮バネ２３は縮み、又指を離すと圧縮バネ２３の反発力により、押しボタン３１は上方の元の位置へ移動し、この部分の内部構造は、図２（Ｂ）と殆ど同じである。
【０１０３】
実施例１、２と同様に、内パイプ１４の下蓋２４には移動マグネット１８があり、発電マグネット２０と反発しあう極性にしており、発電マグネット２０は内パイプ１４内で宙に浮いた状態である。
この状態で、人がこの物体位置表示器２８を手に持って上下に振ると、発電マグネット２０はその振動に合わせて大きく上下に移動し、外パイプ４に取り付けたコイル１２内を移動し、終端の発光ダイオード３が点灯する。
【０１０４】
一方で、押しボタン３１を人の親指等で押すと、内パイプ１４は下降し、圧縮バネ２３は縮み、内パイプ１４の吸引マグネット３２に吸引されている固定マグネット１９を有する外パイプ４も下降し、引っ張りバネ２１は伸び始める。
【０１０５】
更に押しボタン３１を押していき、吸引マグネット３２と固定マグネット１９の磁力による吸引力より引っ張りバネ２１の収縮力が勝った時、外パイプ４は上方へ瞬時に移動し、内パイプ１４内の発電マグネット２０はコイル１２内を移動するのと同じことになる。
この瞬間コイル１２には誘導電流が流れ終端の発光ダイオード３が点灯する。
【０１０６】
又、この押しボタン３１を押した状態で、物体位置表示器２８を上下に振ると、内パイプ１４内の発電マグネット２０も上下に移動でき、コイル１２内を移動するので、発光ダイオード３を点灯させることができる。
【０１０７】
押しボタン３１を押して、圧縮バネ２３が縮み、引っ張りバネ２１も縮んで外パイプ４の移動が停止した状態で、押しボタン３１を押すのをやめて開放すると、圧縮バネ２３の伸びようとする力により押しボタン３１は上方へ移動し、これにより内パイプ１４も上方へ移動して再度固定マグネット１９と吸引マグネット３２が近づいて吸引し合い、図３（Ｄ）の状態になる。
その他の動作や、取り付け部品、図面の説明内容は実施例１や３と殆ど同様なので省略する。
【実施例５】
【０１０８】
次に、主に引っ張りバネの伸縮により発電する場合の実施例について説明する。
図４（Ａ）は、図１（Ｂ）の内パイプ１４上部の上蓋１６と下部の移動マグネット１８をそれぞれ取り除き、引っ張りバネ２１を直接発電マグネット２０に接続し、外パイプ４下側の架台２５の調整ネジ２６と固定マグネット１９を内パイプ１４下部の下蓋２４へ移動し、外パイプ４と内パイプ１４をそれぞれ長くした断面図であり、固定マグネット１９の極性は発電マグネット２０と吸引しあう極性にしてそれを接着剤等で下蓋２４へ固定する。
【０１０９】
外パイプ４に取り付けられている、コイル１２は外ケース２７の内側と接着剤等で固定されており、ワイヤー５が緩んでいるときは、発電マグネット２０と固定マグネット１９は互いに吸引しあい、調整ネジ２６の先端と発電マグネット２０は接触して近づいている。
その他の部品の材質や配置、取り付け方、動作等は実施例１と同様なので省略する。
【０１１０】
発電マグネット２０に接続された引っ張りバネ２１を長くし、引っ張り強度を小さくした場合、ワイヤー５が緩んだ状態で外ケース２７を上下に振動させると、内パイプ１４も上下に振動し発電マグネット２０はコイル１２内を移動し、これにより、終端の発光ダイオード３を点灯することができる。
【０１１１】
一方で、外部よりワイヤー５を引っ張ると、接続部材１７は上昇し、接続部材１７下部の引っ張りバネ２１は伸びていき、発電マグネット２０に吸引された固定マグネット１９を有する内パイプ１４も上昇し、外ケース２７の上カバー１に内パイプ１４があたって、内パイプ１４は停止する。
これにより、接続部材１７下部の引っ張りバネ２１は図４（Ｂ）のように伸びていき、更にワイヤー５を引っ張り、その力が固定マグネット１９と発電マグネット２０の吸引力を上回ると、発電マグネット２０は引っ張りバネ２１に引っ張られ、瞬時に上方へ移動する。
【０１１２】
この時、発電マグネット２０はコイル１２内を瞬時に移動するので、コイル１２には誘導電流が流れ、終端の発光ダイオード３を点灯する。
圧縮バネ２３が縮み、引っ張りバネ２１も縮んで発電マグネット２０の移動が停止した状態で、ワイヤー５の引っ張りをやめて開放すると、圧縮バネ２３の反発力と発電マグネット２０等の重力や両マグネットの吸引力によりワイヤー５は下方へ引き戻され、再度固定マグネット１９と発電マグネット２０が近づいて吸引し合い、図４（Ａ）の状態になる。
その他の動作や、取り付け部品、図面の説明内容は実施例１と殆ど同様なので省略する。
【０１１３】
図５（Ａ）は、前記図４の内パイプ１４内にある引っ張りバネ２１、発電マグネット２０、固定マグネット１９等の取り付けを逆に移動したもので、内パイプ１４の下蓋２４に引っ張りバネ２１の片側を固定し、もう一方を発電マグネット２０に接続して固定している。
【０１１４】
一方で、ワイヤー５の先には調整ネジ２６を取り付け、その外側にネジ加工した接続部材１７、及び発電マグネット２０に吸引力を与える極性の固定マグネット１９をそれぞれ連結し、調整ネジ２６の先端を発電マグネット２０と接触させ、両マグネットの吸引力を調整している。
その他の部品の材質や配置、取り付け方、動作等は実施例１や図４とほぼ同様なので省略する。
【０１１５】
これにより、ワイヤー５が緩んでいるときは、発電マグネット２０と固定マグネット１９は互いに吸引しあい、調整ネジ２６の先端と発電マグネット２０は接触して近づいている。
発電マグネット２０に接続された引っ張りバネ２１を長くし、引っ張り強度を小さくした場合、ワイヤー５が緩んだ状態で外ケース２７を上下に振動させると、内パイプ１４も上下に振動し発電マグネット２０はコイル１２内を移動し、これにより、終端の発光ダイオード３を点灯することができる。
【０１１６】
一方で、外部よりワイヤー５を引っ張ると、調整ネジ２６が取り付けられた接続部材１７は上昇し、接続部材１７下部の固定マグネット１９の吸引力により、発電マグネット２０が引っ張られて引っ張りバネ２１は伸び、内パイプ１４は上カバー１にあたるまで上昇する。
これにより、発電マグネット２０下部の引っ張りバネ２１は図５（Ｂ）のように伸びていき、更にワイヤー５を引っ張り、その力が固定マグネット１９と発電マグネット２０の吸引力を上回ると、発電マグネット２０は引っ張りバネ２１に引っ張られ、瞬時に下方へ移動する。
【０１１７】
この時、発電マグネット２０はコイル１２内を瞬時に移動するので、コイル１２には誘導電流が流れ、終端の発光ダイオード３を点灯する。
ワイヤー５を引っ張って圧縮バネ２３が縮み、引っ張りバネ２１も縮んで発電マグネット２０の移動が停止した状態で、ワイヤー５の引っ張りをやめて開放すると、圧縮バネ２３の反発力と固定マグネット１９等の重力によりワイヤー５は下方へ引き戻され、再度固定マグネット１９と発電マグネット２０が近づいて吸引し合い、図５（Ａ）の状態になる。
【０１１８】
図４（Ａ）及び図５（Ａ）では、発電マグネット２０の移動に引っ張りバネ２１を利用しているが、これの代わりに伸縮性のゴム等を利用しても良く、発電マグネット２０と調整ネジ２６との切り離しが容易に行なわれる場合、固定マグネット１９の代わりに磁性体の物を取り付けても良く、又は調整ネジ２６を磁性体の物に代えて固定マグネット１９を取り付けなくても良い。
その他の動作や、取り付け部品、図面の説明内容は実施例１と殆ど同様なので省略する。
【実施例６】
【０１１９】
次に、外パイプ４の架台２５に引っ張りバネ２１を取り付け、その先に発電マグネット２０を直接取り付け、主に引っ張りバネ２１の伸縮により発電する場合の実施例について説明する。
【０１２０】
図６（Ａ）に示すように、外パイプ４の架台２５に引っ張りバネ２１をネジ等で取り付けて固定し、又この引っ張りバネ２１の片側を発電マグネット２０の下側に連結して接続する。
外ケース２７の上カバー１と固定マグネット１９間に圧縮バネ２３を挿入し、上カバー１の中心穴よりワイヤー５を入れ、圧縮バネ２３の内部を通って調整ネジ２６と接続する。
【０１２１】
接続部材１７をネジ加工して調整ネジ２６を挿入し、その接続部材１７の上部に発電マグネット２０と吸引しあう極性の固定マグネット１９を取り付けて固定する。
これにより、ワイヤー５が緩んでいるときは、発電マグネット２０と固定マグネット１９は互いに吸引しあい、調整ネジ２６の先端と発電マグネット２０は接触して近づいている。
【０１２２】
外パイプ４に取り付けられている、コイル１２は外ケース２７の内側と接着剤等で接着し、固定されている。
発電マグネット２０に接続された引っ張りバネ２１を長くし、引っ張り強度を小さくした場合、ワイヤー５が緩んだ状態で外ケース２７を上下に振動させると、実施例１〜５のように大きく上下移動はしないが、コイル１２内を多少移動することは可能で、これにより、終端の発光ダイオード３を点灯することができ、実施例１，２及び５に比べ構造を簡素化できる。
【０１２３】
一方で、外部よりワイヤー５を引っ張ると、調整ネジ２６が取り付けられた接続部材１７は上昇し、接続部材１７上部の固定マグネット１９の吸引力により、発電マグネット２０も上昇する。
これにより、発電マグネット２０下部の引っ張りバネ２１は図６（Ｂ）のように、伸びていき、更にワイヤー５を引っ張り、その力が固定マグネット１９と発電マグネット２０の吸引力を上回ると、発電マグネット２０は引っ張りバネ２１に引っ張られ、瞬時に下方へ移動する。
【０１２４】
この時、発電マグネット２０はコイル１２内を瞬時に移動するので、コイル１２には誘導電流が流れ、終端の発光ダイオード３を点灯する。
ワイヤー５を引っ張って圧縮バネ２３が縮み、引っ張りバネ２１も縮んで発電マグネット２０の移動が停止した状態で、ワイヤー５の引っ張りをやめて開放すると、圧縮バネ２３の反発力と固定マグネット１９等の重力や両マグネットの吸引力により、ワイヤー５は下方へ引き戻され、再度固定マグネット１９と発電マグネット２０が近づいて吸引し合い、図６（Ａ）の状態になる。
【０１２５】
図６（Ａ）では外パイプ４の架台２５側に引っ張りバネ２１と発電マグネット２０を連結して取り付けているが、実施例５の図４（Ａ）のように、ワイヤー５側に引っ張りバネ２１と発電マグネット２０を接続し、外パイプ４下側の架台２５に調整ネジ２６と固定マグネット１９を取り付けても良い。
【０１２６】
図６（Ａ）では、発電マグネット２０の移動に引っ張りバネ２１を利用しているが、これの代わりに伸縮性のゴム等を利用しても良く、発電マグネット２０と調整ネジ２６との切り離しが容易に行なわれる場合、固定マグネット１９の代わりに磁性体の物を取り付けても良く、又は調整ネジ２６を磁性体の物に代えて固定マグネット１９を取り付けなくても良い。
その他の動作や、取り付け部品、図面の説明内容は実施例１や５と殆ど同様なので省略する。
【実施例７】
【０１２７】
次に、外パイプ４の架台２５に発電マグネット２０に吸引力を与える極性の移動マグネット１８を取り付け、その上にクッション４０、発電マグネット２０を挿入し、引っ張りバネ２１を利用せず、固定マグネット１９を移動して、発電マグネット２０と固定マグネット１９の吸引力を利用して発電する場合の実施例について説明する。
【０１２８】
図７（Ａ）では、図６（Ａ）の架台２５に発電マグネット２０に吸引力を与える極性の移動マグネット１８を取り付け、その上にクッション４０を外パイプ４内に挿入し、発電マグネット２０に接続する引っ張りバネ２１を無くしており、図６（Ａ）同様、外ケース２７の上カバー１と固定マグネット１９間に圧縮バネ２３が挿入されており、又、ワイヤー５も上カバー１の中心穴より入り、圧縮バネ２３の内部を通って調整ネジ２６と接続されている。
【０１２９】
更に、接続部材１７をネジ加工して調整ネジ２６を挿入し、その接続部材１７の上部に発電マグネット２０と吸引しあう極性の固定マグネット１９も同様に取り付けられ、又、外パイプ４内のクッション４０と接続部材１７間に閉塞板３７を設け、この閉塞板３７は外パイプ４内部に接着剤等で固定されている。
これにより、ワイヤー５が緩んでいるときは、発電マグネット２０と固定マグネット１９は互いに吸引しあい、閉塞板３７を挟んで発電マグネット２０と接続部材１７は近づいている。
【０１３０】
外パイプ４に取り付けられている、コイル１２は外ケース２７の内側と接着剤等で接着し、固定されている。
通常、ワイヤー５が緩んでいる状態で、外ケース２７を上下に振動させても、発電マグネット２０は移動せず、終端の発光ダイオード３を点灯することはできない。
【０１３１】
一方で、外部よりワイヤー５を引っ張ると調整ネジ２６が取り付けられた、接続部材１７も上昇し、圧縮バネ２３は縮み、閉塞板３７を挟んで近づいている発電マグネット２０との距離は離れていく。
更にワイヤー５を引っ張って接続部材１７を遠ざけ、その力が固定マグネット１９と発電マグネット２０の吸引力を上回ると、発電マグネット２０は、それ自体の重力や移動マグネット１８の吸引力により、図７（Ｂ）のように下方へ移動しクッション４０に接し、この時、発電マグネット２０はコイル１２内を瞬時に移動するので、コイル１２には誘導電流が流れ、終端の発光ダイオード３を点灯する。
【０１３２】
図７（Ｂ）のようにワイヤー５を引っ張って圧縮バネ２３が縮み、固定マグネット１９と発電マグネット２０の移動が停止した状態で、ワイヤー５の引っ張りをやめて開放すると、圧縮バネ２３の反発力と、固定マグネット１９と発電マグネット２０の吸引力等によりワイヤー５は下方へ引き戻され、下方の発電マグネット２０は固定マグネット１９の方向へ急速に移動して吸引し合い、発電マグネット２０はコイル１２内を瞬時に移動するので、コイル１２には誘導電流が流れ、終端の発光ダイオード３を点灯し、図７（Ａ）の状態になる。
【０１３３】
図７（Ａ）で、発電マグネット２０と調整ネジ２６との切り離しが容易に行なわれる場合、固定マグネット１９の代わりに磁性体の物を取り付けても良く、又は調整ネジ２６を磁性体の物に代えて固定マグネット１９を取り付けなくても良い。
その他の動作や、取り付け部品、図面の説明内容は実施例６と殆ど同様なので省略する。
【実施例８】
【０１３４】
次に、実施例３の図３（Ａ）のワイヤー３９と引っ張りバネ２１を利用する代わりに底部圧縮バネ３３の反発力を利用して内パイプ１４を移動させ、発光ダイオード３を点灯できるようにした実施例を図面に従って説明する。
【０１３５】
図８（Ａ）は、物体位置表示器２８を人の手に持って、外部にその位置を知らせるようにした実施例３の図３（Ａ）のワイヤー３９と、引っ張りバネ２１や内パイプ１４底部の下蓋２４にある移動マグネット１８、調整ネジ２６等をそれぞれ取り除き、吸引マグネット３２をネジ加工した下蓋２４にサポートネジ３８で固定した断面図であり、内パイプ１４上部の上蓋１６の上にクッション３４を取り付けてある。
このクッション３４は内パイプ１４の上昇における衝撃や音を吸収する役目で取り付けられている。
【０１３６】
外パイプ４の下部の架台２５の下に、図３（Ａ）よりも大き目の固定マグネット１９を取り付け、その内部に底部圧縮バネ３３が入るように架台２５の中央部に穴を設け、この底部圧縮バネ３３の片側は内パイプ１４の下蓋２４に接している。
又、この底部圧縮バネ３３の内側にサポートネジ３８が通っており、先端には内パイプ１４の上昇調整用にナット２９を取り付け、底部圧縮バネ３３の片側は下カバー６に接している。
【０１３７】
発電マグネット２０と吸引マグネット３２は互いに反発する極性にし、又吸引マグネット３２と固定マグネット１９は吸引しあう極性にし、固定マグネット１９を磁性体の物に代えても良い。
実施例３同様、内パイプ１４内の発電マグネット２０は、人がこの物体位置表示器２８を手に持って上下に振ると、その振動に合わせて、発電マグネット２０も大きく上下に移動し、外パイプ４に取り付けたコイル１２内を移動し、終端の発光ダイオード３が点灯する。
【０１３８】
一方で、押しボタン３１を人の親指等で押すと、図８（Ｂ）のように、外パイプ４は下降し、圧縮バネ２３は縮み、下蓋２４の下部の底部圧縮バネ３３も縮み始める。
外パイプ４底部の架台２５に取り付けられた固定マグネット１９と内パイプ１４底部の下蓋２４に取り付けた吸引マグネット３２は、互いに近づき吸引し合っているので、内パイプ１４も同様に下降していく。
【０１３９】
更に押しボタン３１を押していき、吸引マグネット３２と固定マグネット１９の磁力による吸引力より、底部圧縮バネ３３の反発力が勝った時、内パイプ１４は上方へ瞬時に移動し、内パイプ１４内の発電マグネット２０はコイル１２内を移動する。
この瞬間コイル１２には誘導電流が流れ終端の発光ダイオード３が点灯する。
【０１４０】
又、この押しボタン３１を押した状態で、物体位置表示器２８を上下に振ると、内パイプ１４内の発電マグネット２０も上下に移動でき、コイル１２内を移動するので、発光ダイオード３を点灯させることができる。
【０１４１】
押しボタン３１を押した状態で、圧縮バネ２３が縮み、底部圧縮バネ３３が伸び、内パイプ１４の移動が停止した状態で、押しボタン３１を押すのをやめて開放すると、圧縮バネ２３の反発力により押しボタン３１は上方へ移動し、これにより外パイプ４も上方へ移動して、再度固定マグネット１９と吸引マグネット３２が近づいて吸引し合い、図８（Ａ）の状態になる。
その他の動作や、取り付け部品、図面の説明内容は実施例３と殆ど同様なので省略する。
【０１４２】
本実施例の振動発電装置は、内パイプ１４に固定した吸引マグネット３２と外パイプ４に取り付けた固定マグネット１９の吸引力より、内パイプ１４下部の下蓋２４と外ケース２７底部の下カバー６の間にある底部圧縮バネ３３の反発力がまさった時に、両パイプを引き離し、内パイプ１４内の発電マグネット２０を瞬時に移動させてコイル１２内部を移動することにより、コイル１２に誘導電流を発生させるものである。
【０１４３】
それ故、吸引マグネット３２と固定マグネット１９の吸引力を弱くする方向へ力を加え、底部圧縮バネ３３やサポートネジ３８を利用せず、又固定マグネット１９を取り外して、その場所に同形状の磁性体の物を固定して吸引マグネット３２と吸引させ、一方で取り外した固定マグネット１９の極性を反対にして、吸引マグネット３２に反発させるように下カバー６の底部へ取り付けると、両パイプは圧縮バネ２３やこれらマグネットの反発力により、図８（Ａ）の状態と同じようになる。
【０１４４】
この状態で押しボタン３１を押し、これら両マグネットの反発力が吸引マグネット３２と磁性体の吸引力よりまさった時に、両パイプを引き離し、内パイプ１４内の発電マグネット２０を瞬時に移動させて、コイル１２に誘導電流を発生させることも可能となり、前記と同じ動作を行なうことができる。
この様に底部圧縮バネ３３を利用せず、マグネットどうしを組み合わせて両パイプを引き離す構造にしても良い。
【実施例９】
【０１４５】
次に、内パイプ１４内の発電マグネット２０を移動させる手段として、外部より発電マグネット２０に吸引力の磁力を与える他の吸引マグネット５２を近づけ、その吸引マグネット５２の移動によって、発電マグネット２０を移動させ、発光ダイオード３を点灯できるようにした実施例を図面に従って説明する。
【０１４６】
図９（Ａ）は図８（Ａ）の外ケース２７の内部部品を取り出して一部の部品を変更し、その部分を断面図として表し、それを固定ベース５１に設置し、外パイプ４のそばに発電マグネット２０に吸引力を与える極性の吸引マグネット５２が移動できるスライドレール５３を取り付け、矢印５４の方向へ往復移動できるようにして、発電マグネット２０を移動できるようにしたものである。
【０１４７】
内パイプ１４と外パイプ４の下側は図８（Ａ）とは一部分異なり、内パイプ１４の底部の下蓋２４をネジ加工し、その上に発電マグネット２０に反発力を与える極性の吸引マグネット３２を取り付け、サポートネジ３８の先にナット２９を取り付け、このナット２９と下蓋２４で吸引マグネット３２を固定する。
【０１４８】
また、外パイプ４底部の架台２５の中央部もネジ加工し、そこからサポートネジ３８を挿入して内パイプ１４の下蓋２４と連結し、前記のように内パイプ１４側と、このサポートネジ３８を連結する。
サポートネジ３８を回して回転させると、内パイプ１４は架台２５に対して上下できるようになり、発電マグネット２０とコイル１２の位置関係を調整できる。
【０１４９】
外パイプ４の外側には図８（Ａ）同様、コイル１２、ブリッジダイオード１１、抵抗９が配置され、電線１０により発光ダイオード３へと繋がれている。
図９（Ａ）のように、これらを固定ベース５１へ設置し、吸引マグネット５２が矢印５４方向へ往復移動できるスライドレール５３も、固定ベース５１に設置されている。
【０１５０】
この状態で、図９（Ａ）の固定ベース５１を上下に振ると、その振動に合わせて、発電マグネット２０も大きく上下に移動し、外パイプ４に取り付けたコイル１２内を移動し、終端の発光ダイオード３が点灯する。
【０１５１】
一方で、スライドレール５３に沿って、吸引マグネット５２を矢印方向へ下降させていくと、内パイプ１４内の発電マグネット２０は吸引され、図９（Ｂ）のように内パイプ１４側面に移動し、吸引マグネット５２の移動に沿って発電マグネット２０も内パイプ１４内を移動し、コイル１２内を移動していく。
更に、吸引マグネット５２が矢印５４方向へ移動すると、内パイプ１４内の発電マグネット２０と吸引マグネット３２の磁力による反発力が強くなり、一方でスライドレール５３を移動する吸引マグネット５２の磁力は離れていって弱まる。
【０１５２】
吸引マグネット５２が移動し、発電マグネット２０と吸引マグネット５２の吸引力より、
内パイプ１４内の発電マグネット２０と吸引マグネット３２の反発力が勝った時、発電マグネット２０は上方へ瞬時に移動し、コイル１２内を移動する。
この瞬間コイル１２には誘導電流が流れ、終端の発光ダイオード３が点灯する。
この動作は、スライドレール５３を移動する吸引マグネット３２の動きが遅くても瞬時に行なわれる。
【０１５３】
又、発電マグネット２０が内パイプ１４内の上部にあり、スライドレール５３上の吸引マグネット５２が、そのスライドレール５３の上端や下端に近い場所にあった状態で、固定ベース５１を上下に振ると、内パイプ１４内の発電マグネット２０も上下に移動でき、コイル１２内を移動するので、発光ダイオード３を点灯させることができる。
【０１５４】
スライドレール５３上の吸引マグネット５２の下降への移動をやめ、吸引マグネット５２を上方へ移動させる途中、再度内パイプ１４内の発電マグネット２０は、この吸引マグネット５２に吸引され内パイプ１４側面に移動するが、図９（Ａ）の位置へ吸引マグネット５２が離れていくと、内パイプ１４内を自由に移動できる状態になる。
【０１５５】
本実施例の振動発電装置は、底部圧縮バネ３３や、引っ張りバネ２１を利用しないで、内パイプ１４の外側より発電マグネット２０に吸引力を与える吸引マグネット５２を移動させ、その吸引マグネット５２の移動により発電マグネット２０を吸引させて移動させ、移動途中に於いて、その両マグネットの吸引力より内パイプ１４に固定した吸引マグネット３２と発電マグネット２０の反発力がまさった時に、発電マグネット２０を瞬時に上部へ移動させ、その結果コイル１２内を瞬時に移動し、コイル１２に誘導電流を発生させるものである。
【０１５６】
それ故、発電マグネット２０に反発力を与える吸引マグネット３２の代わりに、圧縮バネを挿入して反発させても良く、又、スライドレール５３の構造を変え、吸引マグネット５２の極性を反対にして、発電マグネット２０に反発力を与えて発電マグネット２０を移動させても良く、スライドレール５３の取り付け角度や位置を変更して、或はスライドレール５３と同様の構造を成すものにより発電マグネット２０を移動させても良い。
【実施例１０】
【０１５７】
次に、実施例１の外ケース２７にハンドルレバー４１を取り付け、人が物体位置表示器２８を持って、このハンドルレバー４１を握った時も発光ダイオード３を点灯できるようにした実施例を図面に従って説明する。
【０１５８】
図１０（Ａ）は、物体位置表示器２８を人の手に持って外部にその位置を知らせるように、図１（Ａ）のケーブルクリップ２とクリップ７を取りはずし、ワイヤー５を引っ張る手段として外ケース２７上部にレバー押さえ４２を取り付け、それと連結されるハンドルレバー４１を人の指で握ることにより、ワイヤー５を引っ張って、終端の発光ダイオード３を点灯させるようにした斜視図であり、（Ｂ）はＡ−Ａ部分の断面図である。
【０１５９】
図１０（Ｂ）に示すように、外ケース２７上部の上カバー１の穴より出たワイヤー５の先に保持棒４３を取り付け、ハンドルレバー４１の穴に挿入しワイヤー５が上下に可動できるようにする。
又、外ケース２７上部にレバー押さえ４２を取り付け、ハンドルレバー４１と連結し、レバー押さえ４２を軸にハンドルレバー４１が可動するようにする。
これにより、人の手によってハンドルレバー４１を握ると保持棒４３が上昇し、ワイヤー５も上昇する。
【０１６０】
この物体位置表示器２８の内部構造は実施例１の図１（Ａ）の内部構造と同じで、内部の材質や取り付け部品、動作等は同じなので一部説明を省略すが、図１０（Ｂ）のように、通常状態では外ケース２７内の圧縮バネ２３の反発力により、ワイヤー５は下方へ引っ張られ、図１（Ｂ）のように、固定マグネット１９と移動マグネット１８は互いに吸引し合って近づいており、内パイプ１４は下降している。
【０１６１】
実施例１同様、この状態で、人がこの物体位置表示器２８を持って上下に振ると、内部の発電マグネット２０も大きく上下に振れ、内パイプ１４内を移動する。
この時、発電マグネット２０は外パイプ４にあるコイル１２内を移動することになり、コイル１２に誘導電流を発生させ、発光ダイオード３を点灯する。
【０１６２】
一方で、人がこの物体位置表示器２８を手に持ってハンドルレバー４１を握ると、ワイヤー５は保持棒４３の移動により上方へ移動し、図１（Ｃ）のようにワイヤー５の先の接続部材１７、引っ張りバネ２１、内パイプ１４も上方へ引っ張られ、引っ張りバネ２１が伸び、更にハンドルレバー４１を握るとワイヤー５を引っ張っていき、移動マグネット１８と固定マグネット１９の磁力による吸引力より、引っ張りバネ２１の引っ張り強度が勝った時、内パイプ１４は上方へ瞬時に移動し、図１（Ｄ）のようになる。
【０１６３】
この瞬間コイル１２には誘導電流が流れ終端の発光ダイオード３が点灯する。
この動作は、ハンドルレバー４１を握る速度がゆっくりでも瞬時に行なわれ、これにより物体位置表示器２８を持っている人の存在を外部に知らせることができる。
【０１６４】
又、この状態で人がこの物体位置表示器２８を持って上下に振ると、内部の発電マグネット２０も大きく上下に振れ、内パイプ１４内を移動する。
この時、発電マグネット２０は外パイプ４にあるコイル１２内を移動することになり、コイル１２に誘導電流を発生させ、発光ダイオード３を点灯させることができる。
【０１６５】
人がこの物体位置表示器２８を確実に持つことができるよう、実施例２同様、図２（Ａ）のように、外ケース２７に保持バンド３０を取り付け、この保持バンド３０内に指を通し、そしてハンドルレバー４１を握れるようにして、物体位置表示器２８を落とさないようにしても良い。
【０１６６】
これにより、夜間の散歩やジョギング等を行なう時に、この物体位置表示器２８を手に持って上下に振ったり、又はハンドルレバー４１を握ると、発光ダイオード３を点灯することができ、人の存在位置を外部に知らせることができる。
【実施例１１】
【０１６７】
次に、実施例１の物体位置表示器２８をホルダー４７で固定し、このホルダー４７を杖４４に取り付け、杖４４を上下に振ったり、下ろした時に発光ダイオード３を点灯するようにした実施例について説明する。
【０１６８】
図１１（Ａ）は、図１（Ａ）で示す物体位置表示器２８のケーブルクリップ２やネジ２２とクリップ７を取りはずし、外ケース２７の上部の上カバー１よりワイヤー５を出し、ワイヤー５を引っ張る手段として、外ケース２７の上方に固定板５５を取り付け、ネジ等により、この固定板５５とワイヤー５を接続し、物体位置表示器２８をホルダー４７の穴に接着剤等で固定して取り付けた斜視図であり、（Ｂ）は断面図である。
【０１６９】
固定板５５の下部には固定台４６を取り付け、これらをホルダー４７の右側の穴に挿入し、その固定台４６下部の外側には圧縮バネ４８が挿入され、上方にはカラー４５が連結されている。
この圧縮バネ４８はホルダー４７がストッパー４９にあたったときの衝撃を吸収する為やホルダー４７を持ち上げたときに、杖４４の戻りを良くするために取り付けられている。
【０１７０】
カラー４５、固定板５５、固定台４６の穴に杖４４を挿入し、これらが杖４４から移動しないように、上下にストッパー４９を取り付け、これらを杖４４に固定する。
ホルダー４７の中央部には大穴５０を設け、この大穴５０を通してホルダー４７を手で握ることができるようにし、ホルダー４７を手で握り持ち上げると、一緒に杖４４も持ち上げることができる。  
【０１７１】
通常、ホルダー４７を持ち上げていると、杖４４の重みで固定台４６は下降し、下側の圧縮バネ４８は開放され、固定板５５に接続されたワイヤー５は緩んだ状態であり、この状態でホルダー４７を上下に振動させると、実施例１同様、図１（Ｂ）内の発電マグネット２０も上下に移動し、コイル１２内を移動することになり、終端の発光ダイオード３を点灯する。
【０１７２】
ホルダー４７を手で握り杖４４を地面等に下ろすと、杖４４に密着した固定台４６はホルダー４７に対し上昇する形となり、圧縮バネ４８は縮みワイヤー５は固定板５５によって引っ張られることになり、引っ張りバネ２１が伸び、図１（Ｃ）の状態となる。
【０１７３】
更にホルダー４７を下方へ押し、移動マグネット１８と固定マグネット１９の吸引力より引っ張りバネ２１の引っ張り強度が勝った瞬間、図１（Ｄ）のように内パイプ１４は上昇し、内部の発電マグネット２０も瞬時に上昇し、コイル１２内を瞬時に通過していき、終端の発光ダイオード３を点灯する。
【０１７４】
ホルダー４７が最下降点まで移動し、圧縮バネ２３が縮み、引っ張りバネ２１も縮み、内パイプ１４の移動が上で停止し、その後、杖４４を持ち上げると、圧縮バネ４８の反発や杖４４等の重力、移動マグネット１８と固定マグネット１９の吸引力等により内パイプ１４が引き戻され、これと同時に発電マグネット２０も再度元の位置方向へ移動しコイル１２内を移動する。
この瞬間コイル１２には前回と逆向きの誘導電流が流れ、ブリッジダイオード１１の整流により終端の発光ダイオード３を再点灯する。
【０１７５】
これにより、杖４４を持って夜間の散歩やジョギング等を行なう時に、物体位置表示器２８が装着されたホルダー４７を手に持って上下に振ったり、又は杖４４を地面に下ろすと、発光ダイオード３を点灯することができ、人の存在位置を外部に知らせることができる。
【０１７６】
図１１（Ｂ）に於いて、杖４４に固定台４６を容易に取り付けられるときは、固定板５５の上部のカラー４５を取り付ける必要はなく、又、固定台４６と固定板５５を連結し、同一物体にしても良く、更にホルダー４７下部にある圧縮バネ４８の代わりにクッションを用いても良く、ホルダー４７を持ち上げたとき、杖４４が容易に下降できるときは、この圧縮バネ４８を使用しなくても良い。
【０１７７】
図１１（Ａ）では、ホルダー４７を杖４４等の長い物に使用していたが、短い棒状の物に取り付け、或は、固定板５５、及び固定台４６とホルダー４７を一体型で固定できる構造にしてこのホルダー４７を上下に振ると、内パイプ１４内の発電マグネット２０は振動して上下に移動し、発光ダイオード３を点灯することができる。（図示せず）
【０１７８】
又、この様な構造で、更に固定板５５の右側部分を親指で押すことができるような構造にしてホルダーの４７上部に支点を設け、この支点で固定板５５を支える構造にすると、ホルダー４７を握っている時に親指で固定板５５の右側を押すと、支点を中心に左側の固定板５５は上昇し、ワイヤー５を引っ張る形となり、発電マグネット２０を移動させることができ終端の発光ダイオード３を点灯することができる。（図示せず）
【０１７９】
これにより、この構造の場合は、実施例２の押しボタン３１を押した時や、実施例１０のハンドルレバー４１を握った場合と同じように親指を押した瞬間、いつでも発電マグネット２０を移動させることができ、終端の発光ダイオード３を点灯することができる。
【０１８０】
実施例１から１１までのように、本発明はコイル１２内部で発電マグネット２０が外部振動により移動するように形成して更に、この発電マグネット２０を移動させようとする外部の力が単発的で遅い動きでも発電マグネット２０を瞬間的に移動させ、コイル１２に誘導電流を発生させるようにしたものである。
【０１８１】
その方法として、発電マグネット２０を有する内パイプ１４に引っ張りバネ２１や圧縮バネ２３、他のマグネット等を取り付け、更に、その先にワイヤー５や押しボタン３１を取り付けることにより、この引っ張りバネ２１や圧縮バネ２３の伸縮及び他のマグネットどうしの吸引力や反発力等を利用して、発電マグネット２０を瞬時に移動させている。
【０１８２】
それ故、その手段としてこれらを組み合わせ、上記実施例と同じような瞬間的移動を行なわせる方法はいろいろ考えられるので、この後の実施例１２から１８までの実施例については、主に組み合わせ方を図面に従い簡単に説明し、発電方法や部品の詳細説明は省くようにする。
【実施例１２】
【０１８３】
図１３（Ａ）は、実施例８の図８（Ａ）の外ケース２７の内側に、コイル１２の外側と架台２５を接着剤等で取り付け、固定マグネット１９を内パイプ１４の上部の上蓋１６上部に取り付け、押しボタン３１の先端を長くして、その先端に吸引マグネット３２を取り付け、外パイプ４を短くして、上部の上板３６を取り除いたものである。
【０１８４】
固定マグネット１９と吸引マグネット３２は、上蓋１６を挟んで互いに吸引する極性にしてあり、押しボタン３１の先端部分は上蓋１６の中央部分を通過できるようにしてある。
これにより、押しボタン３１を押すと、押しボタン３１の先の吸引マグネット３２は下方へ移動し、それに吸引されて、固定マグネット１９も下方へ移動し、下方の底部圧縮バネ３３は収縮する。
【０１８５】
更に、押しボタン３１を押して下降を続け、底部圧縮バネ３３の反発力が吸引マグネット３２と固定マグネット１９の吸引力を上回ると、両マグネットは離れるようになり、内パイプ１４は瞬時に上方へ移動し、内部の発電マグネット２０も同様に瞬時に移動するので、外側のコイル１２に瞬間的な高い電気を発生させることが出来る。
【実施例１３】
【０１８６】
図１３（Ｂ）は、実施例１２の図１３（Ａ）の底部圧縮バネ３３を取り除き、押しボタン３１側に圧縮バネ５８を設けて上蓋１６を加工して変化させ、その外周へ吸引マグネット５６を取り付け、外ケース２７の上部にある上カバー１に固定マグネット５７を取り付けて互いに吸引しあう極性にしたものであり、発電マグネット２０に反発力を与える移動マグネット１８を下蓋２４に取り付けたものである。
【０１８７】
図１３（Ｂ）のように、押しボタン３１の中間を加工して、ストッパー５９を設け、圧縮バネ５８をこのストッパー５９と上蓋１６間に挿入して、押しボタン３１の先端をネジ等で固定し、この先端部分は上蓋１６の中央部分を通過できるようにしてある。
それにより、通常吸引マグネット５６と固定マグネット５７は互いに吸引しあい近づいており、又、圧縮バネ５８はストッパー５９と上蓋１６間で開放状態になっている。
【０１８８】
押しボタン３１を押すと、圧縮バネ５８はストッパー５９に押されて収縮し、更に押しボタン３１を下方へ押し、圧縮バネ５８の反発力が吸引マグネット５６と固定マグネット５７の吸引力を上回った瞬間、内パイプ１４は瞬時に下方へ移動し、内部の発電マグネット２０も瞬時に下方へ移動し、外側のコイル１２に瞬間的な高い電気を発生させることが出来る。
【実施例１４】
【０１８９】
図１３（Ｃ）は、実施例４の図３（Ｄ）の引っ張りバネ２１の片側を、上板３６にではなく、形状を変化させた上蓋１６に取り付け、その上蓋１６を内パイプ１４の上部と連結する。
上蓋１６上部に固定マグネット１９を取り付け、押しボタン３１の先端に吸引マグネット３２をそれぞれ取り付け、上蓋１６を挟んで両者は互いに吸引しあう極性にし、押しボタン３１の先端部分は上蓋１６の中央部分を通過できるようにしてある。
【０１９０】
引っ張りバネ２１の片側は、上カバー１にネジ等でそれぞれ取り付けられ、その他の構造は実施例１３と殆ど同様で動作は実施例４の動きと殆ど同じようになり、押しボタン３１を押すと、吸引マグネット３２は下降し、それに吸引されている固定マグネット１９を有する内パイプ１４も下降し、引っ張りバネ２１は伸びていく。
【０１９１】
更に押しボタン３１を押していき、引っ張りバネ２１の収縮力が吸引マグネット３２と固定マグネット１９の吸引力を上回った瞬間、引っ張りバネ２１は収縮し、それによって内パイプ１４は瞬時に上方へ移動し、内部の発電マグネット２０も瞬時に上方へ移動し、外側のコイル１２に瞬間的な高い電気を発生させることが出来る。
【実施例１５】
【０１９２】
図１３（Ｄ）は、実施例１３の図１３（Ｂ）の圧縮バネ５８とストッパー５９をそれぞれ削除し、押しボタン３１の先端で直接クッション１５、その先の発電マグネット２０を押して下降させるようにしたものである。
押しボタン３１を押すと、その先端に接するクッション１５を押し、次いでそれと接する発電マグネット２０は下方へ押されて移動する。
【０１９３】
更に押しボタン３１を押して発電マグネット２０を下方へ移動させ、発電マグネット２０と移動マグネット１８との反発力が吸引マグネット５６と固定マグネット５７の吸引力を上回った瞬間、内パイプ１４は下降し、内部の発電マグネット２０も下降し、外側のコイル１２に瞬間的な高い電気を発生させることが出来る。
【実施例１６】
【０１９４】
図１４（Ａ）は、実施例１の図１（Ｂ）の外ケース２７の内側にコイル１２と架台２５を接着剤等で取り付け、固定マグネット１９を内パイプ１４の上部の上蓋１６下部に取り付け、外パイプ４を短くし、又、上蓋１６を変形して内パイプ１４上部と接着剤等で接続し、その上にクッション３４が取り付けられている。
【０１９５】
ワイヤー５の先には吸引マグネット６０が接続され、クッション３４、上蓋１６を挟んで固定マグネット１９と吸引しあう極性にしてあり、又、上カバー１と上蓋１６間に圧縮バネ２３が挿入されている。
これによりワイヤー５を上方へ引っ張ると、吸引マグネット６０も上昇し、それにより吸引されている固定マグネット１９も上昇することにより、内パイプ１４も上昇して圧縮バネ２３は収縮する。
【０１９６】
更にワイヤー５を引っ張り、圧縮バネ２３の反発力が吸引マグネット６０と固定マグネット１９の吸引力を上回った瞬間、吸引マグネット６０と固定マグネット１９の間隔が開き、内パイプ１４は下降し、内部の発電マグネット２０も瞬時に下降し、外側のコイル１２に瞬間的な高い電気を発生させることが出来る。
この時、内パイプ１４は外パイプ４上部と上蓋１６がぶつかった所で停止する。
【実施例１７】
【０１９７】
図１４（Ｂ）は、実施例１６の図１４（Ａ）の内パイプ１４底部の下蓋２４に、発電マグネット２０に反発力を与える吸引マグネット３２を取り付け、更に、そこにネジ等を利用して引っ張りバネ２１の片側を取り付け、もう一方は架台２５にネジ等で固定したものであり、上カバー１と上蓋１６間に挿入した圧縮バネ２３と異なる圧縮バネ５８を挿入して、主にワイヤー５の引き戻しに利用し、その他の構造は実施例１６と殆ど同様である。
【０１９８】
これにより、ワイヤー５を上方へ引っ張ると、吸引マグネット６０も上昇し、それに吸引されている固定マグネット１９も上昇することにより内パイプ１４も上昇し、内パイプ１４下部の引っ張りバネ２１も引っ張られて伸びていく。
【０１９９】
更にワイヤー５を引っ張ると、圧縮バネ５８は収縮し、内パイプ１４下部の引っ張りバネ２１の収縮力が吸引マグネット６０と固定マグネット１９の吸引力を上回った瞬間、内パイプ１４は瞬時に下降し、内部の発電マグネット２０も下降し、外側のコイル１２に瞬間的な高い電気を発生させることが出来る。
【実施例１８】
【０２００】
図１４（Ｃ）は、実施例１６の図１４（Ａ）の圧縮バネ２３を取り除き、実施例１３のように上蓋１６の外周へ吸引マグネット５６を取り付け、外ケース２７の上部にある上カバー１に固定マグネット５７を取り付け、実施例１３の時とは逆に両マグネットを互いに反発しあう極性にしたものである。
【０２０１】
それにより、通常吸引マグネット５６と固定マグネット５７は互いに反発しあい遠ざかって間隔が開いており、ワイヤー５を上方へ引っ張ると、吸引マグネット５６と固定マグネット５７は互いに反発しあいながらも近づき始める。
【０２０２】
更にワイヤー５を引っ張って両者の反発力が、吸引マグネット６０と固定マグネット１９の吸引力を上回った瞬間、吸引マグネット６０と固定マグネット１９は切り離されて遠ざかり、内パイプ１４は吸引マグネット５６と固定マグネット５７の反発力により下方へ移動し、内部の発電マグネット２０も下方へ移動し、外側のコイル１２に瞬間的な高い電気を発生させることが出来る。
【０２０３】
実施例１〜１８に示すように、本発明はこの物体位置表示器２８に通常の振動を与えても電気エネルギーを取得でき、又瞬間的な発電マグネット２０の移動により高い発電エネルギーをも得ることができる。
それ故、図１２の電気回路図のコイル１２からブリッジダイオード１１へ流れる電気エネルギーを別回路に流して充電池へ充電させることも出来る。（図示せず）
【０２０４】
この別回路はスイッチ、光センサー、振動センサー、充電器、充電池等を有し、日中のジョギング等で発光ダイオードへの発光を必要としない時は、コイルよりブリッジダイオードへ流れた電気を光センサーにより遮断して充電池へ充電することも出来る。（図示せず）
【０２０５】
これにより、これらが組み込まれた物体位置表示器２８を持って夜間の散歩等に出かけると、スイッチをオンにして充電器からの電気を発光ダイオードに流せるようにし、更に、振動センサーが人の停止を検知した場合、充電器からの電気を発光ダイオードへ出力し、瞬間的でなく、一定時間発光ダイオードを点灯させることもできるようになる。
【符号の説明】
【０２０６】
１    上カバー
２    ケーブルクリップ
３    発光ダイオード（ＬＥＤ）
４    外パイプ
５    ワイヤー
６    下カバー
７    クリップ
８    リード
９    抵抗
１０    電線
１１    ブリッジダイオード
１２    コイル
１３    ボビン
１４    内パイプ
１５    クッション
１６    上蓋
１７    接続部材
１８    移動マグネット
１９    固定マグネット
２０    発電マグネット
２１    引っ張りバネ
２２    ネジ
２３    圧縮バネ
２４    下蓋
２５    架台
２６    調整ネジ
２７    外ケース
２８    物体位置表示器
２９    ナット
３０    保持バンド
３１    押しボタン
３２    吸引マグネット
３３    底部圧縮バネ
３４    クッション
３５    ネジ
３６    上板
３７    閉塞板
３８    サポートネジ
３９    ワイヤー
４０    クッション
４１    ハンドルレバー
４２    レバー押さえ
４３    保持棒
４４    杖
４５    カラー
４６    固定台
４７    ホルダー
４８    圧縮バネ
４９    ストッパー
５０    大穴
５１    固定ベース
５２    吸引マグネット
５３    スライドレール
５４    矢印
５５    固定板
５６    吸引マグネット
５７    固定マグネット
５８    圧縮バネ
５９    ストッパー
６０    吸引マグネット
【手続補正３】
【補正対象書類名】図面
【補正対象項目名】図５
【補正方法】変更
【補正の内容】
【図５】
2015089309.tif 000001